(57)【要約】【課題】本発明は、ドアホン子機で用件入力を促す音声メッセージを変えることができる留守番機能付きインターホン親機及びインターホンシステムに関する。【解決手段】本発明では、複数のドアホン子機１２を接続可能であって、ドアホン子機１２で呼出操作があった場合に用件入力を促す音声メッセージを出力させて入力用件を録音する留守番モードを備える留守番機能付きインターホン親機１０は、ドアホン子機１２のうち呼出操作があったドアホン子機１２を判別する子機検出部１０６と、ドアホン子機１２の各々に対して留守番モードの設定情報を記憶するメッセージ記憶部１１１と、ドアホン子機１２から呼出操作があった場合には、子機検出部１０６で判別されたドアホン子機１２に対応する留守番モードの設定情報を読み出し、留守番モードが設定されているドアホン子機１２であった場合には留守番モードを実行する制御部１０９とを備えて構成される。【選択図】  図２
2004297233.tif 000002
【特許請求の範囲】
【請求項１】
複数のドアホン子機を接続可能であって、ドアホン子機で呼出操作があった場合に用件の入力を促す音声メッセージを該ドアホン子機から出力させて入力された用件を録音する留守番モードを備える留守番機能付きインターホン親機において、
接続されているドアホン子機のうち呼出操作があったドアホン子機を判別する子機検出部と、
前記接続されているドアホン子機のそれぞれに対して留守番モードの設定情報を記憶する記憶部と、
ドアホン子機から呼出操作があった場合には、前記子機検出部で判別されたドアホン子機に対応する留守番モードの設定情報を読み出し、留守番モードが設定されているドアホン子機であった場合には、該ドアホン子機に対して留守番モードを実行する制御部とを備えることを特徴とする留守番機能付きインターホン親機。
【請求項２】
複数のドアホン子機を接続可能であって、ドアホン子機で呼出操作があった場合に用件の入力を促す音声メッセージを該ドアホン子機から出力させて入力された用件を録音する留守番モードを備える留守番機能付きインターホン親機において、
接続されているドアホン子機のうち呼出操作があったドアホン子機を判別する子機検出部と、
前記接続されているドアホン子機のそれぞれに対して音声メッセージをそれぞれ記憶する記憶部と、
ドアホン子機から呼出操作があった場合には、前記子機検出部で判別されたドアホン子機に対応する音声メッセージを前記記憶部から読み出し、該読み出した音声メッセージを用いて該ドアホン子機に対して留守番モードを実行する制御部とを備えることを特徴とする留守番機能付きインターホン親機。
【請求項３】
複数のドアホン子機を接続可能であって、ドアホン子機で呼出操作があった場合に用件の入力を促す音声メッセージを該ドアホン子機から出力させて入力された用件を録音する留守番モードを備える留守番機能付きインターホン親機において、
時を刻む時計と、
１日を複数の時間帯に分けて各時間帯に対して音声メッセージをそれぞれ記憶する記憶部と、
ドアホン子機から呼出操作があった場合には、該呼出操作があった時刻を前記時計から取得し、該取得した時刻を含む時間帯に対応する音声メッセージを前記記憶部から読み出し、該読み出した音声メッセージを用いて該ドアホン子機に対して留守番モードを実行する制御部とを備えることを特徴とする留守番機能付きインターホン親機。
【請求項４】
複数のドアホン子機を接続可能であって、ドアホン子機で呼出操作があった場合に用件の入力を促す音声メッセージを該ドアホン子機から出力させて入力された用件を録音する留守番モードを備える留守番機能付きインターホン親機において、
接続されているドアホン子機のうち呼出操作があったドアホン子機を判別する子機検出部と、
ドアホン子機から呼出操作があった場合には、前記子機検出部で判別されたドアホン子機に対応する音量の音声メッセージを用いて該ドアホン子機に対して留守番モードを実行する制御部とを備えることを特徴とする留守番機能付きインターホン親機。
【請求項５】
前記ドアホン子機は、被写体を撮像して映像信号を出力するカメラ付きドアホン子機であって、
前記留守番モードにおいて該ドアホン子機で撮影された画像をさらに録画することを特徴とする請求項１乃至請求項４の何れか１項に記載の留守番機能付きインターホン親機。
【請求項６】
待機電圧から動作電圧に昇圧後一定時間内に該動作電圧に生じる一定時間の電圧降下に基づいて接続されているドアホン子機の機種を識別する機種識別部をさらに備えることを特徴とする請求項１乃至請求項５の何れか１項に記載の留守番機能付きインターホン親機。
【請求項７】
前記機種識別部は、前記一定時間の電圧降下の有無によってドアホン子機の機種を識別することを特徴とする請求項６に記載の留守番機能付きインターホン親機。
【請求項８】
前記機種識別部は、前記一定時間の電圧降下における電圧値の違いによってドアホン子機の機種を識別することを特徴とする請求項６に記載の留守番機能付きインターホン親機。
【請求項９】
前記機種識別部は、前記一定時間の電圧降下の個数によってドアホン子機の機種を識別することを特徴とする請求項６に記載の留守番機能付きインターホン親機。
【請求項１０】
ドアホン子機と、インターホン親機とを備えるインターホンシステムにおいて、
前記インターホン親機は、請求項１乃至請求項９の何れか１項に記載の留守番機能付きインターホン親機であることを特徴とするインターホンシステム。
【発明の詳細な説明】
【０００１】
【発明の属する技術分野】
本発明は、留守番機能付きインターホン親機に関し、特に、ドアホン子機における用件の入力を促す音声メッセージを変えることができる留守番機能付きインターホン親機に関する。さらに、該留守番機能付きインターホン親機を用いたインターホンシステムに関する。
【０００２】
【従来の技術】
近年、２世帯住宅や比較的規模の大きい住宅等向けに、複数のドアホン子機が接続可能であって、留守の場合や応対したくない場合等の来客を確認可能な留守番機能を備えた留守番機能付きインターホン親機が普及してきている。
【０００３】
このようなインターホン親機は、在宅モードと留守番モードとを備え、留守番モードに設定しておくと、ドアホン子機が来客によって呼出操作されたときに、ドアホン子機のカメラによって来客を撮影しその映像を静止画として録画しておくと共に、用件の入力を促す音声メッセージをドアホン子機から出力させドアホン子機に入力された用件を録音し、帰宅した住戸の居住者が録画した映像や録音した用件を確認することができるようになっている（例えば、特許文献１参照）。
【０００４】
【特許文献１】
特開２００２−３３８３８号公報
【０００５】
【発明が解決しようとする課題】
ところで、従来のインターホン親機は、複数の子機に対して一斉に留守番モードとなっていた。そのため、ドアホン子機ごとに留守番モードを設定することができないという事情がある。
【０００６】
そして、従来のインターホン親機は、用件の入力を促す音声メッセージの内容がどのドアホン子機に対しても共通であった。そのため、例えば、２世帯住宅で子供世帯に設置されているドアホン子機と親世帯に設置されているドアホン子機とでこの音声メッセージの内容を変えたいという要望に応じることができない。
また例えば、入浴中や睡眠中等、時間帯によって居住者が応対することができない理由が異なるため、時間帯によってこの音声メッセージの内容を変えたいという要望に応えることができない。さらに、ドアホン子機が設置される場所によっては音声メッセージが周囲に響き近所に迷惑となったり周囲の騒音で聞こえなくなったりするという事情もある。
【０００７】
また、例えばドアホン子機にカメラ付きドアホン子機とカメラなしドアホン子機等、ドアホン子機に複数の種類が存在するため、インターホン親機は、種類ごとに専用の接続端子を備えなければならず、接続端子の個数は、（接続可能個数）に（ドアホン子機の種類数）を乗じた個数となり、コストの増加や機器の大型化の問題があった。さらに、種類ごとの専用の接続端子では、施工時にどの接続端子に接続すべきかを判断しなければならないため煩わしいという問題、不注意や思い込み等から誤接続が生じるという問題もあった。
【０００８】
本発明は、上記事情に鑑みて、音声メッセージに生じる問題やインターホン親機に複数のドアホン子機が接続される場合に生じる問題を解決するためになされた発明である。
【０００９】
本発明の第１の目的は、ドアホン子機ごとに留守番モードが設定可能なインターホン親機を提供することである。本発明の第２の目的は、ドアホン子機ごとに音声メッセージの内容が変更可能なインターホン親機を提供することである。本発明の第３の目的は、時間帯によって音声メッセージの内容が変更可能なインターホン親機を提供することである。本発明の第４の目的は、音声メッセージの音量が変更可能なインターホン親機を提供することである。本発明の第５の目的は、接続端子に汎用性を持たせたインターホン親機を提供することである。
【００１０】
【課題を解決するための手段】
上述の目的を解決するために、請求項１に記載の発明では、複数のドアホン子機を接続可能であって、ドアホン子機で呼出操作があった場合に用件の入力を促す音声メッセージを該ドアホン子機から出力させて入力された用件を録音する留守番モードを備える留守番機能付きインターホン親機は、接続されているドアホン子機のうち呼出操作があったドアホン子機を判別する子機検出部と、前記接続されているドアホン子機のそれぞれに対して留守番モードの設定情報を記憶する記憶部と、ドアホン子機から呼出操作があった場合には、前記子機検出部で判別されたドアホン子機に対応する留守番モードの設定情報を読み出し、留守番モードが設定されているドアホン子機であった場合には、該ドアホン子機に対して留守番モードを実行する制御部とを備えて構成される。
【００１１】
このような構成の留守番機能付きインターホン親機では、子機検出部は、呼出操作があったドアホン子機を判別し、記憶部は、留守番モードに設定されているドアホン子機を記憶する。そして、制御部は、ドアホン子機から呼出操作があった場合には、前記子機検出部で判別されたドアホン子機に対応する留守番モードの設定情報を読み出し、留守番モードが設定されているドアホン子機であった場合には、該ドアホン子機に対して留守番モードを実行する。このため、留守番モードに設定したいドアホン子機を記憶部に記憶することができ、ドアホン子機ごとに留守番モードを設定し、実行することができる。
【００１２】
請求項２に記載の発明では、複数のドアホン子機を接続可能であって、ドアホン子機で呼出操作があった場合に用件の入力を促す音声メッセージを該ドアホン子機から出力させて入力された用件を録音する留守番モードを備える留守番機能付きインターホン親機は、接続されているドアホン子機のうち呼出操作があったドアホン子機を判別する子機検出部と、前記接続されているドアホン子機のそれぞれに対して音声メッセージをそれぞれ記憶する記憶部と、ドアホン子機から呼出操作があった場合には、前記子機検出部で判別されたドアホン子機に対応する音声メッセージを前記記憶部から読み出し、該読み出した音声メッセージを用いて該ドアホン子機に対して留守番モードを実行する制御部とを備えて構成される。
【００１３】
このような構成の留守番機能付きインターホン親機では、子機検出部は、呼出操作があったドアホン子機を判別し、記憶部は、接続されているドアホン子機のそれぞれに対して音声メッセージを記憶する。そして、制御部は、ドアホン子機から呼出操作があった場合には、子機検出部で判別されたドアホン子機に対応する音声メッセージを記憶部から読み出し、この読み出した音声メッセージを用いてこのドアホン子機に対して留守番モードを実行する。このため、ドアホン子機ごとに音声メッセージをそれぞれ記憶部に記憶することができ、ドアホン子機ごとに音声メッセージを変えて、留守番モードを実行することができる。
【００１４】
請求項３に記載の発明では、複数のドアホン子機を接続可能であって、ドアホン子機で呼出操作があった場合に用件の入力を促す音声メッセージを該ドアホン子機から出力させて入力された用件を録音する留守番モードを備える留守番機能付きインターホン親機は、時を刻む時計と、１日を複数の時間帯に分けて各時間帯に対して音声メッセージをそれぞれ記憶する記憶部と、ドアホン子機から呼出操作があった場合には、該呼出操作があった時刻を前記時計から取得し、該取得した時刻を含む時間帯に対応する音声メッセージを前記記憶部から読み出し、該読み出した音声メッセージを用いて該ドアホン子機に対して留守番モードを実行する制御部とを備えて構成される。
【００１５】
このような構成の留守番機能付きインターホン親機では、時計は、時を刻み、記憶部は、１日を複数の時間帯に分けて各時間帯に対して音声メッセージをそれぞれ記憶する。そして、制御部は、ドアホン子機から呼出操作があった場合には、この呼出操作があった時刻を時計から取得し、この取得した時刻を含む時間帯に対応する音声メッセージを記憶部から読み出し、この読み出した音声メッセージを用いてこのドアホン子機に対して留守番モードを実行する。このため、時間帯ごとに音声メッセージをそれぞれ記憶部に記憶することができ、時間帯ごとに音声メッセージを変えて、留守番モードを実行することができる。
【００１６】
請求項４に記載の発明では、複数のドアホン子機を接続可能であって、ドアホン子機で呼出操作があった場合に用件の入力を促す音声メッセージを該ドアホン子機から出力させて入力された用件を録音する留守番モードを備える留守番機能付きインターホン親機は、接続されているドアホン子機のうち呼出操作があったドアホン子機を判別する子機検出部と、ドアホン子機から呼出操作があった場合には、前記子機検出部で判別されたドアホン子機に対応する音量の音声メッセージを用いて該ドアホン子機に対して留守番モードを実行する制御部とを備えて構成される。
【００１７】
このような構成の留守番モード付きインターホン親機では、子機検出部は、呼出操作があったドアホン子機を判別し、制御部は、ドアホン子機から呼出操作があった場合には、子機検出部で判別されたドアホン子機に対応する音量の音声メッセージを用いてこのドアホン子機に対して留守番モードを実行する。そのため、ドアホン子機ごとに音声メッセージの音量を変えて、留守番モードを実行することができる。
【００１８】
請求項５に記載の発明では、請求項１乃至請求項４の何れか１項に記載の留守番機能付きインターホン親機において、前記ドアホン子機は、被写体を撮像して映像信号を出力するカメラ付きドアホン子機であって、前記留守番モードにおいて該ドアホン子機で撮影された画像をさらに録画する。
【００１９】
このような構成の留守番機能付きインターホン親機は、留守番モードにおいて用件の録音だけでなく、用件を録音したときの画像を録画することができる。このため、帰宅した後に、居住者は、用件を入力した来客を知ることができる。
【００２０】
請求項６に記載の発明では、請求項１乃至請求項５の何れか１項に記載の留守番機能付きインターホン親機において、待機電圧から動作電圧に昇圧後一定時間内に該動作電圧に生じる一定時間の電圧降下に基づいて接続されているドアホン子機の機種を識別する機種識別部をさらに備える。そして、請求項７に記載の発明では、請求項６に記載の留守番機能付きインターホン親機は、前記機種識別部は、前記一定時間の電圧降下の有無によってドアホン子機の機種を識別する。請求項８に記載の発明では、請求項６に記載の留守番機能付きインターホン親機において、前記機種識別部は、前記一定時間の電圧降下における電圧値の違いによってドアホン子機の機種を識別する。請求項９に記載の発明では、請求項６に記載の留守番機能付きインターホン親機において、前記機種識別部は、前記一定時間の電圧降下の個数によってドアホン子機の機種を識別する。
【００２１】
このような構成の留守番機能付きインターホン親機は、機種識別部をさらに備えるので、ドアホン子機の機種を区別することなく接続することができる。
【００２２】
請求項１０に記載の発明では、ドアホン子機と、インターホン親機とを備えるインターホンシステムは、前記インターホン親機は、請求項１乃至請求項９の何れか１項に記載の留守番機能付きインターホン親機である。
【００２３】
【発明の実施の形態】
以下、本発明に係る実施形態を図面に基づいて説明する。なお、各図において同一の構成については、同一の符号を付し、その説明を省略する。
（第１の実施形態）
第１の実施形態は、留守番モードに設定するドアホン子機を選択することができる留守番機能付きインターホン親機の実施形態である。
【００２４】
まず、第１の実施形態の構成について説明する。図１は、留守番機能付きのインターホンシステムの構成を示す図である。図２は、留守番機能付きインターホン親機の構成を示すブロック図である。図３は、留守番機能付きインターホン親機の概観を示す図である。図４は、ドアホン子機の構成を示すブロック図である。図４（Ａ）は、カメラ付きドアホン子機の構成を示すブロック図であり、図４（Ｂ）は、カメラ無しドアホン子機の構成を示すブロック図である。
【００２５】
図１において、留守番機能付きインターホンシステム１は、留守番機能付きインターホン親機（以下、「親機」と略記する。）１０と、親機１０に接続される副親機１１と、親機１０に接続される複数のドアホン子機（以下、「子機」と略記する。）１２とを備えて構成される。このような留守番機能付きインターホンシステム１は、例えば、２世帯住宅における、子供世帯が居住する１階部分に親機１０及び子機Ａ１２−Ａが設置され、親世帯が居住する２階部分に副親機１１及び子機Ｂ１２−Ｂが設置される。また例えば、比較的大きい住宅における、リビングに親機１０が設置され、寝室に副親機１１が設置され、子機Ａ１２−Ａが表門に設置され、そして、子機Ｂ１２−Ｂが裏門に設置される。なお、本実施形態では、子機１２が２個の場合であるが、これに限定されず、子機１２は、親機１０の接続端子数に応じて複数個可能である。
【００２６】
図２において、親機１０は、複数の子機１２を接続可能であって、子機１２で呼出操作があった場合に用件の入力を促す音声メッセージをこの子機１２から出力させて入力された用件を録音する留守番モードを備えるものであって、複数の接続端子１０１と、子機切替部１０２と、多重分離部１０３と、映像信号受信部１０４と、表示部１０５と、子機検出部１０６と、呼出信号検出部１０７と、録画部１０８と、制御部１０９と、録音部１１０と、メッセージ記憶部１１１と、音声送受話部１１２と、音入出力部１１３と、呼出音発生部１１４と、記憶部１１６と、操作入力部１１７と、時計１１８とを備えて構成される。
【００２７】
接続端子１０１は、子機１２を親機１０と接続するためのコネクタである。接続端子１０１の個数は、親機１０の仕様（スペック）に応じて決定され、本実施形態では、２個の子機１２が接続可能なように２個の接続端子１０１（１０１−１、１０１−２）が装備されている。
【００２８】
子機検出部１０６は、接続されている子機１２のうち呼出操作があった子機１２を判別するものであって、接続端子１０１−１と子機切替部１０２との間におけるラインＬ１の電圧変化、及び、接続端子１０１−２と子機切替部１０２との間におけるラインＬ２の電圧変化を検出し、電圧変化を検出したラインＬを検出結果として検出信号を制御部１０９に出力する回路である。この検出信号によって制御部１０９は、呼出信号を送信した子機１２（来客によって呼出操作された子機１２）を判別することができる。子機切替部１０２は、制御部１０９の制御に基づいて複数の接続端子１０１の中から１つを選択し、選択した接続端子１０１と多重分離部１０３とを接続することによって、多重分離部１０３に接続される子機１２を切り替える回路である。制御部１０９は、子機検出部１０６から入力された検出結果に基づいて子機切替部１０２を制御し、呼出信号を送信した子機１２と多重分離部１０３とを接続する。
【００２９】
多重分離部１０３は、子機１２から送信され多重化されている映像変調信号、呼出信号及び音声信号を分離して、それぞれ映像信号受信部１０４、呼出信号検出部１０７及び音声送受話部１１２に出力すると共に、直流電源及び音声送受話部１１２からの音声信号を多重化して、子機切替部１０２及び接続端子１０１を介して子機１２に送信する。
【００３０】
なお、親機１０は、商用電源に接続され、親機１０の各部に電源が供給されると共に、上述のように多重分離部１０３、子機切替部１０２及び端子１０１を介して子機１２に電源が供給される。
【００３１】
映像信号受信部１０４は、映像変調信号を映像信号に復調して、表示部１０５に出力する回路である。表示部１０５は、映像信号受信部１０４からの映像信号を画像表示したり、録画部１０８に記録されている静止画を画像表示したり、後述のメニューを画像表示したりする回路である。表示部１０５は、例えば、ＣＲＴディスプレイ、液晶ディスプレイ（ＬＣＤ）及び有機ＥＬのディスプレイ等である。録画部１０８は、表示部１０５に表示された動画の一コマを静止画の画像データとして記憶する回路であり、例えば、ＲＡＭ（Ｒａｎｄｏｍ  Ａｃｃｅｓｓ  Ｍｅｍｏｒｙ）等のメモリである。画像データは、静止画のデータとシーケンス番号とを備えて構成される。なお、少ないメモリ容量で画像データを記憶することができる観点からＪＰＥＧ（Ｊｏｉｎｔ  Ｐｈｏｔｏｇｒａｐｈｉｃ  Ｅｘｐｅｒｔ  Ｇｒｏｕｐ）等のフォーマットで画像データを圧縮して記憶することが好ましい。また、本実施形態の親機１０は、静止画を録画するものであるが、Ｍｏｔｉｏｎ  ＪＰＥＧやＭＰＥＧ等のフォーマットによって一定時間の動画を記憶するように構成してもよい。
【００３２】
呼出信号検出部１０７は、多重分離部１０３で分離された呼出信号を検出して制御部１０９に出力する回路である。
【００３３】
音声送受話部１１２は、多重分離部１０３で分離された子機１２からの音声信号を復調し増幅してから音入出力部１１３に出力すると共に、音入出力部１１３から入力された音声信号を増幅しＦＭ変調してから多重分離部１０３に出力する。そして、音声送受話部１１２は、親機１０と子機１２とが通話可能の状態で、音声入出力部１１３からの音声信号と多重分離部１０３からの音声信号（ドアホン子機１２からの音声信号）とのレベルを比較し、音声入出力部１１３からの音声信号の方のレベルが大きい場合には入力音声信号を増幅・ＦＭ変調して多重分離部１０３に出力し、多重分離部１０３からの音声信号の方のレベルが大きい場合にはこの音声信号を復調・増幅して音入出力部１１３に出力する通話制御を行う。音入出力部１１３は、音声送受話部１１２から入力された音声信号を音声に変換して再生出力すると共に、主に居住者の音声を音声信号に変換して音声送受話部１１２に出力する。音入出力部１１３は、例えばマイクロホン等の音声を音声信号に変換する音入力部と例えばスピーカ等の音声信号を音声に変換する音出力部とで構成される。あるいは、例えば、音声の入出力を兼ねたスピーカで構成される。録音部１１０は、音声送受話部１１２から出力される音声信号を音声データとして記憶する回路であり、例えば、ＲＡＭ（Ｒａｎｄｏｍ  Ａｃｃｅｓｓ  Ｍｅｍｏｒｙ）等のメモリである。音声データは、音声のデータと該音声を録音した時間とシーケンス番号とを備えて構成され、このシーケンス番号は、該音声データを生成したときに録画した画像データと同一の番号が付される。
【００３４】
呼出音発生部１１４は、制御部１０９からの出力に基づいて呼出音になる電気信号を発生させ、音入出力部１１３に出力する回路である。
【００３５】
メッセージ記憶部１１１は、留守番モードに設定されている子機１２を記憶すると共に、留守番モードにおいて来客があったときに来客に伝える音声メッセージを記憶する回路であり、例えば、ＲＡＭ（Ｒａｎｄｏｍ  Ａｃｃｅｓｓ  Ｍｅｍｏｒｙ）等のメモリである。
【００３６】
記憶部１１６は、制御部１０９が実行する制御プログラム等を記憶する回路であり、例えば、ＲＯＭ（Ｒｅａｄ  Ｏｎｌｙ  Ｍｅｍｏｒｙ）やＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の不揮発性のメモリである。
【００３７】
時計１１８は、時を刻む回路であり、制御部１０９の要求に従い当該時刻を制御部１０９に出力する。そして、時計１１８は、計時を開始するセット信号が入力されると計時を開始して一定時間経過後に計時が終了した旨を示すタイムアウト信号を出力するタイマー機能も備える。
【００３８】
制御部１０９は、例えば、マイクロプロセッサを備えて構成され、子機切替部１０２、子機検出部１０６、呼出信号検出部１０７、録画部１０８、録音部１１０と、メッセージ記憶部１１１、呼出音発生部１１４、記憶部１１６、操作入力部１１７及び時計１１８に接続され、これら各部を制御プログラムに基づき制御し、例えば、子機１２から呼出操作があった場合には、子機検出部１０６で判別された子機１２に対応する留守番モードの情報を読み出し、留守番モードが設定されている子機１２であった場合には、この子機１２に対して留守番モードを実行する。
【００３９】
操作入力部１１７は、親機１０を操作するための指示等を入力する回路であり、入力された指示は、制御部１０９に出力される。この操作入力部１１７を図３に基づいて説明する。
【００４０】
図３において、親機１０は、ケースの一方面の略中央に音出力窓１５０が配置され、音出力窓１５０の上方に表示部１０５が配置され、音出力窓１５０の下方に通話中であることを示すランプ１１８を介して通話釦１１７ａが配置される。
音出力窓１５０は、親機１０の内外で音を伝播させるためのものであり、例えばメッシュ状に孔を備えた開口である。そして、音出力窓１５０の背面には、上述した音入出力部１１３の音出力部（例えばスピーカ）が配置される。一方、音入出力部１１３の音入力部（例えばマイクロホン）は、通話釦１１７ａの下部に配置される。この音出力窓１５０、ランプ１１８及び通話釦１１７ａの一方側方には、上方から留守釦１１７ｂ、モニタ釦１１７ｃ及び室内呼出釦１１７ｄが配置される。そして、表示部１０５の一方側方には、上方から選択釦１１７ｅ、決定釦１１７ｆ及び再生釦１１７ｇが配置され、他方側方には、メニュー釦１１７ｈ及び終了釦１１７ｊが配置される。
【００４１】
これら通話釦１１７ａ、留守釦１１７ｂ、モニタ釦１１７ｃ、室内呼出釦１１７ｄ、選択釦１１７ｅ、決定釦１１７ｆ、再生釦１１７ｇ、メニュー釦１１７ｈ及び終了釦１１７ｊで操作入力部１１７が構成される。
【００４２】
通話釦１１７ａは、親機１０と子機１２との間で通話の開始及び終了をオン・オフするスイッチであり、通話釦１１７ａを操作することによって親機１０が子機１２と通話可能となり、通話釦１１７ａを再び操作することによって子機１２との通話が終了される。そして、制御部１０９は、呼出信号を受信するとセット信号を時計１１８に出力し、時計１１８は、一定時間経過後にタイムアウト信号を制御部１０９に出力する。
【００４３】
留守釦１１７ｂは、留守番モードの設定及び解除を行うスイッチである。留守番モードに設定されている場合には、親機１０は、来客があったときにメッセージ記憶部１１１に記憶されている音声メッセージを子機１２に出力させ、子機１２が撮影した動画の一コマを録画部１０８に記憶し、そして、来客の用件を録音部１１０に記憶する。留守番モードが解除されている場合（在宅モード）には、親機１０は、子機１２との間で通常のインターホン（内線通話機）として動作する。なお、留守釦１１７ｂの背後に光源をさらに備え、留守番モード中に来客があって録画及び録音がされている場合に、光源を点滅させることによって、帰宅した居住者に録画及び録音がある旨を報知するように構成してもよい。
【００４４】
モニタ釦１１７ｃは、子機１２による映像を表示部１０５に表示させるスイッチであり、モニタ釦１１７ｃを操作することにより子機１２によって外部の様子をモニタ（監視）することができる。
【００４５】
室内呼出釦１１７ｄは、副親機１１を呼び出すスイッチであり、室内呼出１１７ｄを操作することにより副親機１１の呼出音が鳴り、副親機１１との間で内線通話が可能となる。
【００４６】
メニュー釦１１７ｈは、親機１０の各種設定を行うメニュー画面を表示部１０５に表示させるスイッチである。メニュー画面は、主項目として、留守番モードを設定する子機１２を選択する子機選択と、音声メッセージを入力するメッセージ入力と、録画されている画像を再生する録画再生と、録音されている用件を再生する録音再生とを備えて構成される。子機選択は、下位の副項目としてさらに留守番モードにする子機１２を選択する留守番モード子機選択があり、録画再生は、下位の副項目としてさらに再生すべき録画を選択する録画再生選択があり、録音再生は、下位の副項目としてさらに再生すべき録音を選択する録音再生選択がある。なお、録画再生選択で再生すべき静止画が選択され、再生釦１１７ｇによって再生が開始されると、同時に該画像を録画したときに録音された用件も再生される。一方、録音再生選択で再生すべき用件が選択され、再生釦１１７ｇによって再生が開始された場合には用件のみ再生する。
【００４７】
終了釦１１７ｊは、メニューを終了するためのスイッチである。
【００４８】
選択釦１１７ｅは、メニュー画面に表示されたメニューの主項目及び副項目を選択するためのスイッチであり、選択釦１１７ｅが操作されるごとにメニューの各主項目及び各副項目が変更される。本実施形態では、例えば、メニュー釦１１７ｈが操作されるとまず子機選択がデフォルトとして表示され、選択釦１１７ｅが操作されるごとに、子機選択からメッセージ入力、録画再生、録音再生の順にサイクリックに変更される。留守番モード子機選択では、選択釦１１７ｅが操作されるごとに例えば各子機１２に付されたアルファベットが順にサイクリックに変更され、録画再生選択では、選択釦１１７ｅが操作されるごとに各画像データに付されたシーケンス番号が順にサイクリックに変更され、そして、録音再生選択では、選択釦１１７ｅが操作されるごとに各音声データに付されたシーケンス番号が順にサイクリックに変更される。
【００４９】
決定釦１１７ｆは、選択釦１１７ｅによって選択されている項目を親機１０に確定入力するためのスイッチであり、決定釦１１７ｆを操作することによって選択釦１１７ｅで選択されている項目で決定され、入力される。なお、本実施形態では、一度決定した項目を変更する場合には、再入力を行う。また、副項目が入力されると主項目のデフォルトがメニュー画面に表示される。
【００５０】
再生釦１１７ｇは、録画部１０８に記憶されている画像や録音部１１０に録音されている用件を再生するためのスイッチである。
【００５１】
次に、子機１２の構成について説明する。図４（Ａ）において、子機１２は、カメラ付きのドアホン子機であり、撮像部１２１と、映像信号送信部１２２と、呼出釦１２３と、呼出信号発生部１２４と、音声入力部１２５と、音声送受話部１２６と、電源部１２７と、音声出力部１２８と、多重分離部１２９とを備えて構成される。
【００５２】
撮像部１２１は、被写体光像を光電変換して映像信号を出力する撮像素子と、撮像素子の撮像面に被写体光像を結像させる光学系とを備えて構成される。撮像部１２１の映像信号は、映像信号送信部１２２に出力される。撮像素子は、受光した光をその光強度に従った電気信号に変換する複数の受光素子をマトリックス状に配置した光電変換素子であり、例えば、ＣＣＤ（Ｃｈａｒｇｅ−Ｃｏｕｐｌｅｄ  Ｄｅｖｉｃｅｓ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）の固体撮像素子等である。映像信号送信部１２２は、入力された映像信号を変調して映像変調信号として多重分離部１２９に出力する回路である。
【００５３】
呼出釦１２３は、親機１０の音入出力部１１３から呼出音を鳴動させるための呼出信号を親機１０に送信させるための回路であり、例えば、押釦スイッチ等である。来客は、この呼出釦１２３を操作することによって、住戸内の居住者に来客の存在があることを知らせる。呼出信号発生部１２４は、親機１０の音入出力部１１３から呼出音を鳴動させるための呼出信号を生成し、生成した呼出信号を多重分離部１２９に出力する回路である。呼出信号については、後述する。
【００５４】
音声入力部１２５は、音を音声信号として電気信号に変換する回路であり、例えば、マイクロホンである。この音声信号は、音声入力部１２５から多重分離部１２９に出力される。来客は、音声を音声入力部１２５に入力することによって、親機１０の居住者と通話し、また、用件を親機１０に録音させる。音声出力部１２８は、電気信号を音に変換する回路であり、例えば、スピーカである。親機１０から送信された音声信号は、この音声出力部１２８で音声として再生され出力される。音声送受話部１２６は、音声入力部１２５から入力された音声信号を増幅しＦＭ変調してから多重分離部１２９に出力すると共に、多重分離部１２９から入力された親機１０からの音声信号を復調し増幅してから音声出力部１２８に出力する。
【００５５】
電源部１２７は、多重分離部１２９で分離された直流電源を子機１２における電源の必要な各部に供給する回路である。
【００５６】
多重分離部１２９は、映像信号送信部１２２からの映像変調信号、呼出信号発生部１２４からの呼出信号、及び、音声送受話部１２６からの音声信号を多重化して親機１０に送信すると共に、親機から多重化して受信された音声信号及び直流電源を分離して音声送受話部１２６及び電源部１２７にそれぞれ出力する。
【００５７】
なお、カメラ無しドアホン子機１２’は、図４（Ｂ）に示すように、図４（Ａ）に示すカメラ付きドアホン子機１２に対し撮像部１２１及び映像信号送信部１２２が省略され、呼出信号発生部１２４の代わりに呼出信号発生部１２４’を備える。呼出信号発生部１２４’は、呼出信号発生部１２４と同様に、来客が呼出釦１２３を操作することにより来客の存在を住宅内の居住者に知らせるための呼出信号を生成し、生成した呼出信号を多重分離部１２９に出力する回路であるが、呼出信号がカメラ付きドアホン子機１２の呼出信号が異なる。
【００５８】
次に、呼出信号について説明する。
【００５９】
図５は、親機の呼出信号検出部の入力側における電圧波形を示す図であり、図５（Ａ）は、親機の呼出信号検出部の入力側における第１の電圧波形を示す図であり、図５（Ｂ）は、接続端子が機種に対応した専用端子である、親機の呼出信号検出部の入力側における第１の電圧波形を示す図である。
【００６０】
図５（Ｂ）において、一般に、インターホンシステムでは、親機は、来客が子機の呼出釦を操作することを待っている待機状態では、呼出釦が操作されたことを検出することができる程度の直流電流しか供給しない。そのため、接続端子とグランドとの間の電圧（待機電圧Ｖ１）は、比較的低電圧（Ｖ１＞０）である。
一方、来客が子機の呼出釦を操作し、子機が親機との間で通話することができる動作状態では、親機は、子機の各部を動作させるに充分な直流電流を供給する。
そのため、接続端子とグランドとの間の電圧（動作電圧Ｖ２）は、待機電圧よりも高い電圧（Ｖ２＞Ｖ１）となる。そして、子機は、待機状態で呼出釦が操作されると呼出信号発生部に待機電圧Ｖ１を一時的に低下させる呼出信号を発生させる。よって、呼出信号検出部の入力側における電圧波形は、図５（Ｂ）に示す波形となる。
【００６１】
接続端子１０１に接続された子機１２の機種を識別するための第１の方法では、或る機種の子機１２における呼出信号発生部１２４は、呼出釦１２３が操作されると一般の呼出信号と同様に一時的に待機電圧Ｖ１を降下させる信号を発生させた後に、動作電圧Ｖ２に上昇後一定時間内に動作電圧Ｖ２を一定時間だけ電圧降下させる信号を再び発生させる。よって、親機１０の呼出信号検出部の入力側における電圧波形は、この一定時間の電圧降下に応じた電圧ドロップが生じ、図５（Ａ）に示す波形となる。親機１０の呼出信号検出部１０７は、この２度目の電圧降下の有無を検出し、２度目の電圧降下があったことを示す信号を制御部１０９に出力する。制御部１０９は、この信号を受信することによって子機１２の機種を識別することができる。
【００６２】
例えば、図４（Ａ）に示すカメラ付き子機１２の場合には、その呼出信号発生部１２４が上述の動作電圧Ｖ２を降下させる信号を発生させるように構成し、図４（Ｂ）に示すカメラ無し子機１２の場合には、その呼出信号発生部１２４’は、動作電圧Ｖ２を降下させる信号を発生しないように構成する。
【００６３】
また、次のように呼出信号発生部１２４、１２４’を構成することによって子機１２の機種を識別するようにしてもよい。
【００６４】
図６は、親機の呼出信号検出部の入力側における第２の電圧波形を示す図である。図６において、子機１２の機種を識別するための第２の方法は、動作電圧Ｖ２の電圧降下の電圧値を子機１２の機種によって異ならせる方法である。即ち、或る機種の子機１２における呼出信号発生部１２４は、呼出釦１２３が操作されると一般の呼出信号と同様に一時的に待機電圧Ｖ１を降下させる信号を発生させた後に、動作電圧Ｖ２に上昇後一定時間内に動作電圧Ｖ２を電圧Ｖ３まで降下させる信号を再び発生させる。そして、他の機種の子機１２における呼出信号発生部１２４は、呼出釦１２３が操作されると一般の呼出信号と同様に一時的に待機電圧Ｖ１を降下させる信号を発生させた後に、動作電圧Ｖ２に上昇後一定時間内に動作電圧Ｖ２を電圧Ｖ４（Ｖ４≠Ｖ３）まで降下させる信号を再び発生させる。よって、親機１０の呼出信号検出部の入力側における電圧波形は、図６に示す波形となる。親機１０の呼出信号検出部１０７は、この２度目の電圧降下における電圧値が所定の閾値以上であるか否かを検出し、そのことを示す信号を制御部１０９に出力する。制御部１０９は、この信号を受信することによって子機１２の機種を識別することができる。所定の閾値は、電圧Ｖ３と電圧Ｖ４との間における値に設定される。
【００６５】
例えば、図４（Ａ）に示すカメラ付き子機１２の場合には、その呼出信号発生部１２４が上述の動作電圧Ｖ２を電圧Ｖ３まで降下させる信号を発生させるように構成し、図４（Ｂ）に示すカメラ無し子機１２の場合には、その呼出信号発生部１２４’は、動作電圧Ｖ２を電圧Ｖ４まで降下させる信号を発生させるように構成する。
【００６６】
また、次のように呼出信号発生部１２４、１２４’を構成することによって子機１２の機種を識別するようにしてもよい。
【００６７】
図７は、親機の呼出信号検出部の入力側における第３の電圧波形を示す図である。図７において、子機１２の機種を識別するための第３の方法は、動作電圧Ｖ２の電圧降下の回数を子機１２の機種によって異ならせる方法である。即ち、或る機種の子機１２における呼出信号発生部１２４は、呼出釦１２３が操作されると一般の呼出信号と同様に一時的に待機電圧Ｖ１を降下させる信号を発生させた後に、動作電圧Ｖ２に上昇後一定時間内に動作電圧Ｖ２を複数回、例えば３回降下させる信号を再び発生させる。よって、親機１０の呼出信号検出部の入力側における電圧波形は、図７に示す波形となる。親機１０の呼出信号検出部１０７は、この２度目の電圧降下の回数を検出し、回数に応じた信号を制御部１０９に出力する。制御部１０９は、この信号を受信することによって子機１２の機種を識別することができる。
【００６８】
例えば、図４（Ａ）に示すカメラ付き子機１２の場合には、その呼出信号発生部１２４が上述の動作電圧Ｖ２を３回降下させる信号を発生させるように構成し、図４（Ｂ）に示すカメラ無し子機１２の場合には、その呼出信号発生部１２４は、動作電圧Ｖ２を降下させる信号を発生しないように構成する。あるいは、図４（Ａ）に示すカメラ付き子機１２の場合には、その呼出信号発生部１２４が上述の動作電圧Ｖ２を３回降下させる信号を発生させるように構成し、図４（Ｂ）に示すカメラ無し子機１２の場合には、その呼出信号発生部１２４は、動作電圧Ｖ２を１回降下させる信号を発生するように構成する。
【００６９】
なお、本実施形態では、呼出信号検出部１０７及び制御部１０９が請求項の機種識別部に相当する。
【００７０】
第１乃至第３の何れかの方法を採用することにより、接続端子１０１に汎用性をもたせることができるので、機種ごとに専用の接続端子を設ける必要が無くなり、コストの低下、親機１０の小型化、施工性の改善を図ることができる。また、電圧降下をさせるだけなので、子機１２の呼出信号発生部１２４や親機１０の呼出信号検出部１０７を比較的簡易な回路で構成することができる。さらに、子機１２の機種を識別することができるので、制御部１０９は、接続されている子機１２の機種に応じた制御が実行可能となる。例えば、接続端子１０１にカメラ無しドアホン子機が接続されている場合には、後述の録画処理を省略する制御である。
【００７１】
副親機１１は、子機１２との間で通常のインターホン（内線通話機）として機能すると共に、親機１０との間で通常のインターホンとして機能する。即ち、副親機１１は、親機１０に対し、録画部１０８、録音部１１０、メッセージ記憶部１１１及び時計１１８が省略された構成である。
【００７２】
次に、第１の実施形態の動作について説明する。
【００７３】
図８は、メッセージ記憶部の記憶内容を説明するための図である。図８（Ａ）は、第１の実施形態におけるメッセージ記憶部を示し、図８（Ｂ）は、後述の第２の実施形態におけるメッセージ記憶部を示し、図８（Ｃ）は、後述の第３の実施形態におけるメッセージ記憶部を示す。図９は、第１の実施形態における親機の動作を示すフローチャートである。
【００７４】
まず、居住者は、留守番モードに設定する子機１２を選択すべく、メニュー釦１１７ｈを操作し、表示部１０５にメニュー画面を表示させる。子機選択から選択釦１１７ｅを操作することによって留守番モードにすべき子機１２のアルファベットを選択する。次に、居住者は、留守番モードに設定した際に来客があった場合に子機１２から流す音声メッセージを入力すべく、選択釦１１７ｅを操作し、メッセージ入力をメニュー画面に表示させ、決定釦１１７ｆを操作する。親機１０の制御部１０９は、この操作が入力されるとメッセージの入力を促す音声、例えば「ピッという音の後にメッセージを入力してください。」等を音入出力部１１３から出力する。居住者は、親機１０に音声メッセージを入力する。
【００７５】
制御部１０９は、留守番モード子機選択で選択された子機番号及び音声メッセージをメッセージ記憶部１１１に記憶する。例えば、図８（Ａ）に示すように、選択された子機１２の識別子を格納する選択子機識別子１１１１と音声メッセージの音声データを格納するメッセージデータ１１１２とが対応付けられて記憶される。子機１２の識別子は、本実施形態では上述したように子機１２に付されたアルファベットである。
【００７６】
以下の説明では、居住者は、留守番モード子機選択で子機Ｂ１２−Ｂを選択し、メッセージ入力で音声メッセージＢが入力されたものとする。即ち、メッセージ記憶部１１１の選択子機識別子１１１１には、子機Ｂ１２−Ｂを示すアルファベット（Ｂ）が格納され、メッセージデータ１１１２には、音声メッセージＢの音声データ（Ｂ）が格納される。
【００７７】
居住者は、外出する場合や来客に応対したくない場合等に親機１０の留守釦１１７ｂを操作する。図９において、親機１０の制御部１０９は、留守釦１１７ｂから出力を受けると留守番モードに設定され、待機状態となる（Ｓ１１）。
【００７８】
来客が子機１２の呼出釦１２３を操作すると、子機１２は、呼出信号を親機１０に送信する。親機１０の子機検出部１０６は、この呼出信号を検出すると、呼出信号を送信した子機１２を示す検出信号を制御部１０９に出力する。制御部１０９は、この検出信号を受信すると（Ｓ１２）、この検出信号に基づいて子機Ａ１２−Ａからの呼出信号か子機Ｂ１２−Ｂからの呼出信号かを判断する（Ｓ１３）。
【００７９】
判断の結果、子機Ａ１２−Ａからの呼出信号である場合（子機Ａ）には、制御部１０９は、メッセージ記憶部１１１の選択子機識別子１１１１に格納されている内容を参照すると子機Ａ１２−Ａが留守番モードではない（在宅モード）ので、呼出音発生部１１４に例えばピンポーン等の呼出音を鳴動させる制御信号を出力して音入出力部１１３から呼出音を鳴動させる通常の呼出しを行う（Ｓ１４）。そして、制御部１０９は、通話釦１１７ａが操作されるか否かによって呼出に対する応答が有るか否かを判断する（Ｓ１５）。判断の結果、通話釦１１７ａが操作されない場合（無し）には、制御部１０９は、一定時間の経過を待って（Ｓ１８）、親機１０及び子機Ａ１２−Ａを再び待機状態にする（Ｓ１１）。また、判断の結果、通話釦１１７ａが操作された場合（有り）には、制御部１０９は、子機Ａ１２−Ａに動作電圧Ｖ２で直流電源の供給を続ける等を行って親機１０と子機Ａ１２−Ａとの間で通話を可能とし（Ｓ１６）、通話がなされなくなってから一定時間の経過を待って（Ｓ１７）、親機１０及び子機Ａ１２−Ａを再び待機状態にする（Ｓ１１）。
【００８０】
一方、Ｓ１３で判断の結果、子機１２−Ｂからの呼出信号である場合（子機Ｂ）には、制御部１０９は、メッセージ記憶部１１１の選択子機識別子１１１１に格納されている内容を参照すると子機Ｂ１２−Ａが留守番モードであるので、子機Ｂ１２−Ｂの音声出力部１２８から音声メッセージＢを出力させるべく、メッセージ記憶部１１１のメッセージデータ１１１２に記憶されている音声メッセージＢを子機Ｂ１２−Ｂに送信する（Ｓ２１）。来客は、この音声メッセージＢを聞き、必要に応じて用件を音声入力部１２５に入力する。子機Ｂ１２−Ｂは、この用件を親機１０に送信する。親機１０の制御部１０９は、この用件を受信すると（Ｓ２２）、時計１１８に時刻の出力を促して、留守番モードの設定後から当該用件を受信した順番を示す番号をシーケンス番号として生成する。そして、制御部１０９は、用件の音声データと該音声データを受信した時刻と生成したシーケンス番号とを録音部１１０に記憶する。また、制御部１０９は、表示部１０５に表示している動画の一コマから静止画の画像データを生成し、録画部１０８に画像データと生成した番号とを録画部１０８に記憶する（Ｓ２３）。その後、制御部１０９は、親機１０及び子機Ｂ１２−Ｂを再び待機状態にする（Ｓ１１）。
【００８１】
親機１０は、このように動作するので、子機１２ごとに留守番モードを設定することができる。そして、留守番モードに設定した子機１２から流す音声メッセージを所望の音声メッセージに設定することができる。このため、留守番機能付きインターホンシステム１が２世帯住宅に設置され、子供世帯は不在であるが親世帯は在宅である場合に、子供世帯の子機１２を留守番モードに設定する一方親世帯の子機１２を在宅モードに設定することができる。また、「家事で手が離せませんので、ご用の方は、ご用件を録音してください。」や「訪問販売の方は、ご用の向き、連絡先を録音してください。」等の所望の音声メッセージを設定することができる。
【００８２】
次に、別の実施形態について説明する。
（第２の実施形態）
第２の実施形態における留守番機能付きインターホンシステムは、留守番モード中に来客があった際に子機１２から出力されるメッセージを子機ごとに設定することができる実施形態である。
【００８３】
第２の実施形態における親機は、第１の実施形態における親機１０に較べて、制御部１０９の動作、メッセージ記憶部１１１の記憶内容及びメニューの内容が異なるだけで、その構成は、第１の実施形態と同様であるので、その説明を省略する。なお、第２の実施形態における親機を親機１０’とし、制御部を制御部１０９’とし、メッセージ記憶部を図８（Ｂ）に示すようにメッセージ記憶部１４１とする。
【００８４】
制御部１０９’は、例えば、マイクロプロセッサを備えて構成され、子機切替部１０２、子機検出部１０６、呼出信号検出部１０７、録画部１０８、録音部１１０と、メッセージ記憶部１４１、呼出音発生部１１４、記憶部１１６、操作入力部１１７及び時計１１８に接続され、これら各部を制御プログラムに基づき制御し、例えば、子機１２から呼出操作があった場合には、子機検出部１０６で判別された子機１２に対応する音声メッセージをメッセージ記憶部１４１から検索し、この検索した音声メッセージを用いてこの子機１２に対して留守番モードを実行する。
【００８５】
メッセージ記憶部１４１は、接続されている子機１２のそれぞれに対して留守番モードにおける音声メッセージをそれぞれ記憶する回路であり、例えば、ＲＡＭ等のメモリである。
【００８６】
第２の実施形態におけるメニュー画面は、主項目として、メッセージを入力するメッセージ入力と、録画されている画像を再生する録画再生と、録音されている用件を再生する録音再生とを備えて構成される。メッセージ入力は、下位の副項目としてさらに音声メッセージに対応する子機１２を選択するメッセージ子機選択があり、録画再生は、下位の副項目としてさらに再生すべき録画を選択する録画再生選択があり、録音再生は、下位の副項目としてさらに再生すべき録音を選択する録音再生選択がある。
【００８７】
そして、本実施形態では、例えば、メニュー釦１１７ｈが操作されるとまずメッセージ入力がデフォルトとして表示され、選択釦１１７ｅが操作されるごとに、メッセージ入力から録画再生、録音再生の順にサイクリックに変更される。メッセージ子機選択では、選択釦１１７ｅが操作されるごとに例えば各子機１２に付されたアルファベットが順にサイクリックに変更され、録画再生選択では、選択釦１１７ｅが操作されるごとに各画像データに付されたシーケンス番号が順にサイクリックに変更され、そして、録音再生選択では、選択釦１１７ｅが操作されるごとに各音声データに付されたシーケンス番号が順にサイクリックに変更される。
【００８８】
次に、第２の実施形態の動作について説明する。
【００８９】
図１０は、第２の実施形態における親機の動作を示すフローチャートである。
【００９０】
まず、居住者は、子機１２ごとにメッセージを入力すべく、メニュー釦１１７ｈを操作し、表示部１０５にメニュー画面を表示させる。メッセージ入力のメッセージ子機選択から選択釦１１７ｅを操作することによって音声メッセージを対応させる子機１２のアルファベットを選択し、決定釦１１７ｆを操作する。親機１０’の制御部１０９’は、この操作が入力されると音声メッセージの入力を促す音声を音入出力部１１３から出力する。居住者は、親機１０’に音声メッセージを入力する。制御部１０９’は、メッセージ子機選択で選択された子機１２のアルファベットと入力された音声メッセージとを対応付けながらメッセージ記憶部１４１に記憶する。居住者は、これを接続されている各子機１２に対して行い、制御部１０９’は、留守番モードに設定され来客があった場合に各子機１２から出力する各音声メッセージをメッセージ記憶部１４１にそれぞれ記憶する。
【００９１】
例えば、図８（Ｂ）に示すように、選択子機識別子１４１１とメッセージデータ１４１２とが対応付けられて子機１２ごとに記憶される。
【００９２】
以下の説明では、居住者は、メッセージ子機選択で子機Ａ１２−Ａを選択して音声メッセージＡを入力し、そして、メッセージ子機選択で子機Ｂ１２−Ｂを選択して音声メッセージＢを入力したものとする。即ち、メッセージ記憶部１４１の選択子機識別子１４１１−１には、子機Ａ１２−Ａを示すアルファベット（Ａ）が格納され、メッセージデータ１４１２−１には、音声メッセージＡの音声データ（Ａ）が格納される。そして、メッセージ記憶部１４１の選択子機識別子１４１１−２には、子機Ｂ１２−Ｂを示すアルファベット（Ｂ）が格納され、メッセージデータ１４１２−２には、音声メッセージＢの音声データ（Ｂ）が格納される。
【００９３】
居住者は、外出する場合や来客に応対したくない場合等に親機１０’の留守釦１１７ｂを操作する。図１０において、親機１０’の制御部１０９’は、留守釦１１７ｂから出力を受けると、各子機１２を留守番モードに設定し、そして、待機状態となる（Ｓ３１）。
【００９４】
来客が子機１２の呼出釦１２３を操作すると、子機１２は、呼出信号を親機１０’に送信する。親機１０’の子機検出部１０６は、この呼出信号を検出すると、呼出信号を送信した子機１２を示す検出信号を制御部１０９’に出力する。制御部１０９’は、この検出信号を受信すると（Ｓ３２）、この検出信号に基づいて子機Ａ１２−Ａからの呼出信号か子機Ｂ１２−Ｂからの呼出信号かを判断する（Ｓ３３）。
【００９５】
判断の結果、子機Ａ１２−Ａからの呼出信号である場合（子機Ａ）には、制御部１０９’は、子機Ａ１２−Ａの音声出力部１２８から音声メッセージＡを出力させるべく、選択子機識別子１４１１を参照して子機Ａ１２−Ａに対応するメッセージデータ１４１２を読み出し、読み出したメッセージデータ１４１２−１に記憶されている音声メッセージＡを子機１２に送信する（Ｓ３４）。来客は、この音声メッセージＡを聞き、必要に応じて用件を音声入力部１２５に入力する。子機Ａ１２−Ａは、この用件を親機１０’に送信する。親機１０’の制御部１０９’は、この用件を受信すると（Ｓ３５）、時計１１８に時刻の出力を促し、そして、シーケンス番号を生成する。制御部１０９’は、用件の音声データと該音声データを受信した時刻と生成したシーケンス番号とを録音部１１０に記憶する。また、制御部１０９’は、表示部１０５に表示している動画の一コマから静止画の画像データを生成し、録画部１０８に画像データとこのシーケンス番号とを録画部１０８に記憶する（Ｓ３６）。その後、制御部１０９’は、親機１０’及び子機Ａ１２−Ａを再び待機状態にする（Ｓ３１）。
【００９６】
一方、Ｓ３３で判断の結果、子機Ｂ１２−Ｂからの呼出信号である場合（子機Ｂ）には、制御部１０９’は、子機Ｂ１２−Ｂの音声出力部１２８から音声メッセージＢを出力させるべく、選択子機識別子１４１１を参照して子機Ｂ１２−Ｂに対応するメッセージデータ１４１２を読み出し、読み出したメッセージデータ１４１２−２に記憶されている音声メッセージＢを子機Ｂ１２−Ｂに送信する（Ｓ４１）。来客は、この音声メッセージＢを聞き、必要に応じて用件を音声入力部１２５に入力する。子機Ｂ１２−Ｂは、この用件を親機１０’に送信する。親機１０’の制御部１０９’は、この用件を受信すると（Ｓ４２）、時計１１８に時刻の出力を促し、そして、シーケンス番号を生成する。制御部１０９’は、用件の音声データと該音声データを受信した時刻と生成したシーケンス番号とを録音部１１０に記憶する。また、制御部１０９’は、表示部１０５に表示している動画の一コマから静止画の画像データを生成し、録画部１０８に画像データと生成したシーケンス番号とを録画部１０８に記憶する（Ｓ４３）。その後、制御部１０９’は、親機１０’及び子機Ｂ１２−Ｂを再び待機状態にする（Ｓ１１）。
【００９７】
親機１０’は、このように動作するので、留守番モードに設定した子機１２から流す音声メッセージを子機１２ごとに所望の音声メッセージに設定することができる。例えば、留守番機能付きインターホンシステム１が２世帯住宅に設置されている場合に、子供世帯の子機１２からは「家事で手が離せませんので、ご用の方は、ご用件を録音してください。」という音声メッセージを出力させ、親世帯の子機１２からは「訪問販売の方は、ご用の向き、連絡先を録音してください。」という音声メッセージを出力させることができる。
【００９８】
なお、第２の実施形態において、留守番モード中に来客があった際に子機１２から出力されるメッセージの音量を子機１２ごとに変更するように構成してもよい。例えば、制御部１０９’は、さらに、図１０のＳ３４において子機Ａ１２−Ａからは通常の音量よりも大きい音量で音声メッセージＡが出力されるように、音声メッセージＡを子機Ａ１２−Ａに送信し、図１０のＳ４１において子機Ｂ１２−Ｂからは通常の音量よりも小さい音量で音声メッセージＢが出力されるように、音声メッセージＢを子機Ｂ１２−Ｂに送信する。制御部１０９’が実行する制御プログラムをこのように予め作成してもよい。あるいは、子機１２を識別する識別子を格納する選択子機識別子と、音量を示すデータを格納する音量データと、音声メッセージの音声データを格納するメッセージデータとが対応付けられて記憶されるメッセージ記憶部をメッセージ記憶部１４１の代わりに備えて、子機１２ごとに設定可能なように構成してもよい。
【００９９】
次に、別の実施形態について説明する。
（第３の実施形態）
第３の実施形態における留守番機能付きインターホンシステムは、留守番モード中に来客があった際に子機１２から出力されるメッセージを時間帯ごとに設定することができる実施形態である。
【０１００】
第３の実施形態における親機は、第１の実施形態における親機１０に較べて、制御部１０９の動作、メッセージ記憶部１１１の記憶内容、時計１１８の動作及びメニューの内容が異なるだけで、その構成は、第１の実施形態と同様であるので、その説明を省略する。なお、第３の実施形態における親機を親機１０”とし、制御部を制御部１０９”とし、メッセージ記憶部を図８（Ｃ）に示すようにメッセージ記憶部１７１とする。
【０１０１】
制御部１０９”は、例えば、マイクロプロセッサを備えて構成され、子機切替部１０２、子機検出部１０６、呼出信号検出部１０７、録画部１０８、録音部１１０と、メッセージ記憶部１７１、呼出音発生部１１４、記憶部１１６、操作入力部１１７及び時計１１８に接続され、これら各部を制御プログラムに基づき制御し、例えば、子機１２から呼出操作があった場合には、この呼出操作があった時刻を時計１１８から取得し、この取得した時刻を含む時間帯に対応する音声メッセージをメッセージ記憶部１７１から読み出し、この読み出した音声メッセージを用いてこの子機１２に対して留守番モードを実行する。
【０１０２】
メッセージ記憶部１７１は、複数の時間帯に対して留守番モードにおける音声メッセージをそれぞれ記憶する回路であり、例えば、ＲＡＭ等のメモリである。
【０１０３】
第３の実施形態におけるメニュー画面は、主項目として、メッセージを入力するメッセージ入力と、録画されている画像を再生する録画再生と、録音されている用件を再生する録音再生とを備えて構成される。メッセージ入力は、下位の副項目としてさらに音声メッセージに対応する時間帯を選択するメッセージ時間帯選択があり、録画再生は、下位の副項目としてさらに再生すべき録画を選択する録画再生選択があり、録音再生は、下位の副項目としてさらに再生すべき録音を選択する録音再生選択がある。
【０１０４】
そして、本実施形態では、例えば、メニュー釦１１７ｈが操作されるとまずメッセージ入力がデフォルトとして表示され、選択釦１１７ｅが操作されるごとに、メッセージ入力から録画再生、録音再生の順にサイクリックに変更される。メッセージ時間帯選択では、選択釦１１７ｅが操作されるごとに例えば日中の時間帯（Ｔ１時よりＴ２時まで）と夜間の時間帯（Ｔ２時よりＴ１時まで）が順にサイクリックに変更され、録画再生選択では、選択釦１１７ｅが操作されるごとに各画像データに付されたシーケンス番号が順にサイクリックに変更され、そして、録音再生選択では、選択釦１１７ｅが操作されるごとに各音声データに付されたシーケンス番号が順にサイクリックに変更される。
【０１０５】
次に、第３の実施形態の動作について説明する。
【０１０６】
図１１は、第３の実施形態における親機の動作を示すフローチャートである。
【０１０７】
まず、居住者は、時間帯ごとに音声メッセージを入力すべく、メニュー釦１１７ｈを操作し、表示部１０５にメニュー画面を表示させる。メッセージ入力のメッセージ時間帯選択から選択釦１１７ｅを操作することによって音声メッセージを対応させる時間帯を選択し、決定釦１１７ｆを操作する。親機１０”の制御部１０９”は、この操作が入力されると音声メッセージの入力を促す音声を音入出力部１１３から出力する。居住者は、親機１０”に音声メッセージを入力する。制御部１０９は、メッセージ時間帯選択で選択された時間帯と入力された音声メッセージとを対応付けながらメッセージ記憶部１７１に記憶する。居住者は、これを各時間帯に対して行い、制御部１０９”は、留守番モードに設定され来客があった場合に各子機１２から出力する各音声メッセージをメッセージ記憶部１７１にそれぞれ記憶する。
【０１０８】
例えば、図８（Ｃ）に示すように、選択された時間帯の識別子を格納する時間帯識別子１７１１とメッセージデータ１７１２とが対応付けられて時間帯ごとに記憶される。
【０１０９】
以下の説明では、居住者は、メッセージ時間帯選択で日中の時間帯Ａを選択して音声メッセージＡを入力し、そして、メッセージ時間帯選択で夜間の時間帯Ｂを選択して音声メッセージＢを入力したものとする。即ち、メッセージ記憶部１７１の時間帯識別子１７１１−１には、日中の時間帯Ａを示す識別子（Ａ）が格納され、メッセージデータ１７１２−１には、音声メッセージＡの音声データ（Ａ）が格納される。そして、メッセージ記憶部１４１の時間帯識別子１７１１−２には、夜間の時間帯Ｂを示す識別子（Ｂ）が格納され、メッセージデータ１７１２−２には、音声メッセージＢの音声データ（Ｂ）が格納される。
【０１１０】
居住者は、外出する場合や来客に応対したくない場合等に親機１０”の留守釦１１７ｂを操作する。図１１において、親機１０”の制御部１０９”は、留守釦１１７ｂから出力を受けると、各子機１２を留守番モードに設定し、そして、待機状態となる（Ｓ５１）。
【０１１１】
来客が子機１２の呼出釦１２３を操作すると、子機１２は、呼出信号を親機１０”に送信する。親機１０”の子機検出部１０６は、この呼出信号を検出すると、呼出信号を送信した子機１２を示す検出信号を制御部１０９”に出力する。制御部１０９”は、この検出信号を受信すると（Ｓ５２）、時計１１８に現在時刻Ｔを問合せて、現在時刻Ｔが日中の時間帯Ａか夜間の時間帯Ｂかを判断する（Ｓ５３）。
【０１１２】
判断の結果、現在時刻Ｔが日中の時間帯Ａである場合（Ｔ１≦Ｔ＜Ｔ２）には、制御部１０９”は、子機１２の音声出力部１２８から音声メッセージＡを出力させるべく、時間帯１７１１を参照して日中の時間帯Ａに対応するメッセージデータ１７１２を読み出し、読み出したメッセージデータ１７１２−１に記憶されている音声メッセージＡを子機１２に送信する（Ｓ５４）。来客は、この音声メッセージＡを聞き、必要に応じて用件を音声入力部１２５に入力する。子機１２は、この用件を親機１０”に送信する。親機１０”の制御部１０９”は、この用件を受信すると（Ｓ５５）、時計１１８に時刻の出力を促し、そして、シーケンス番号を生成する。そして、制御部１０９”は、用件の音声データと該音声データを受信した時刻と生成したシーケンス番号とを録音部１１０に記憶する。また、制御部１０９”は、表示部１０５に表示している動画の一コマから静止画の画像データを生成し、録画部１０８に画像データとこのシーケンス番号とを録画部１０８に記憶する（Ｓ５６）。その後、制御部１０９”は、親機１０”及び子機１２を再び待機状態にする（Ｓ５１）。
【０１１３】
一方、Ｓ５３で判断の結果、現在時刻Ｔが夜間の時間帯Ｂである場合（Ｔ≦Ｔ１、Ｔ＞Ｔ２）には、制御部１０９”は、子機１２の音声出力部１２８から音声メッセージＢを出力させるべく、時間帯１７１１を参照して夜間の時間帯Ｂに対応するメッセージデータ１７１２を読み出し、読み出したメッセージデータ１７１２−２に記憶されている音声メッセージＢを子機１２に送信する（Ｓ６１）。
来客は、この音声メッセージＢを聞き、必要に応じて用件を音声入力部１２５に入力する。子機１２は、この用件を親機１０”に送信する。親機１０”の制御部１０９”は、この用件を受信すると（Ｓ６２）、時計１１８に時刻の出力を促し、そして、シーケンス番号を生成する。そして、制御部１０９”は、用件の音声データと該音声データを受信した時刻と生成したシーケンス番号とを録音部１１０に記憶する。また、制御部１０９”は、表示部１０５に表示している動画の一コマから静止画の画像データを生成し、録画部１０８に画像データとこのシーケンス番号とを録画部１０８に記憶する（Ｓ６３）。その後、制御部１０９”は、親機１０”及び子機１２を再び待機状態にする（Ｓ５１）。
【０１１４】
親機１０”は、このように動作するので、留守番モードに設定した子機１２から流す音声メッセージを時間帯ごとに所望の音声メッセージに設定することができる。例えば、日中の時間帯Ａでは「ただいま外出中ですので、ご用の方は、ご用件を録音してください。」という音声メッセージを出力させ、夜間の時間帯Ｂでは「ただいま睡眠中ですので、ご用の方は、ご用件を録音してください。」という音声メッセージを出力させることができる。
【０１１５】
なお、上述の第３の実施形態では、１日を日中の時間帯と夜間の時間帯との２つに分ける場合について説明したが、１日を任意の数で任意の時間で複数の時間帯に分けるように親機１０”を構成してもよい。この場合には、例えば、メッセージ時間帯選択で、始めに１日の時間帯を区切る個数を入力させ、最初の時間帯における開始時刻と終了時刻とを入力させ、第２時間帯から最後の時間帯の１個前の時間帯までは終了時刻を入力させることによって各時間帯を設定する。そして、各時間帯ごとに音声メッセージを入力させ、各時間帯ごとに対応する音声メッセージをメッセージ記憶部１７１に記憶するように構成する。
【０１１６】
さらに、上述の第３の実施形態において、曜日ごとや日付に対応して音声メッセージを設定することができるように親機１０”を構成してもよい。この場合には、メッセージ記憶部１７１における時間帯１７１１に曜日や日付を記憶させ、０時や当該日付になった場合に時計１１８が制御部１０９”にトリガー信号を出力させるように構成する。
【０１１７】
また、上述の第１乃至第３の実施形態では、録画部１０８に記憶される静止画の画像データは、用件を受信した時点の動画から生成したが、来客を確実に写す観点から複数の時点で静止画の画像データを生成し、録画部１０８に記憶するようにしてもよい。例えば、呼出信号を受信した時点やメッセージ記憶部１１１に記憶されている音声メッセージを子機１２に出力させている時点等である。
【０１１８】
さらに、上述の第１乃至第３の実施形態における各機能を相互に組み合わせて親機１０、１０’、１０”を構成してもよい。
【０１１９】
【発明の効果】
以上説明したように、請求項１に記載の発明では、子機検出部は、呼出操作があったドアホン子機を判別し、記憶部は、留守番モードに設定されているドアホン子機を記憶する。そして、制御部は、ドアホン子機から呼出操作があった場合であって子機検出部の判別結果が記憶部に記憶されているドアホン子機である場合には、ドアホン子機に対して留守番モードを実行する。このため、留守番モードに設定したいドアホン子機を記憶部に記憶することができ、各ドアホン子機ごとに留守番モードを設定し、実行することができる。
【０１２０】
請求項２に記載の発明では、子機検出部は、呼出操作があったドアホン子機を判別し、記憶部は、接続されているドアホン子機のそれぞれに対して音声メッセージを記憶する。そして、制御部は、ドアホン子機から呼出操作があった場合には、子機検出部で判別されたドアホン子機に対応する音声メッセージを記憶部から検索し、この検索した音声メッセージを用いてこのドアホン子機に対して留守番モードを実行する。このため、各ドアホン子機ごとに音声メッセージをそれぞれ記憶部に記憶することができ、各ドアホン子機ごとに音声メッセージを変えて、留守番モードを実行することができる。
【０１２１】
請求項３に記載の発明では、時計は、時を刻み、記憶部は、１日を複数の時間帯に分けて各時間帯に対して音声メッセージをそれぞれ記憶する。そして、制御部は、ドアホン子機から呼出操作があった場合には、この呼出操作があった時刻を時計から取得し、この取得した時刻を含む時間帯に対応する音声メッセージを記憶部から検索し、この検索した音声メッセージを用いてこのドアホン子機に対して留守番モードを実行する。このため、時間帯ごとに音声メッセージをそれぞれ記憶部に記憶することができ、時間帯ごとに音声メッセージを変えて、留守番モードを実行することができる。
【０１２２】
請求項４に記載の発明では、子機検出部は、呼出操作があったドアホン子機を判別し、制御部は、ドアホン子機から呼出操作があった場合には、子機検出部で判別されたドアホン子機に対応する音量の音声メッセージを用いてこのドアホン子機に対して留守番モードを実行する。そのため、各ドアホン子機ごとに音声メッセージの音量を変えて、留守番モードを実行することができる。
【０１２３】
請求項５に記載の発明では、留守番モードにおいて用件の録音だけでなく、用件を録音したときの画像を録画することができる。このため、帰宅した後に、居住者は、用件を入力した来客を知ることができる。
【０１２４】
請求項６乃至請求項９に記載の発明では、機種識別部をさらに備えるのでドアホン子機の機種を識別することができ、例えば、ドアホン子機の機種に応じて制御することができる。
【０１２５】
請求項１０に記載の発明では、請求項１乃至請求項９の何れか１項に記載の留守番機能付きインターホン親機をインターホンシステムに用いるので、上述の効果を備えたインターホンシステムを提供することができる。
【図面の簡単な説明】
【図１】留守番機能付きのインターホンシステムの構成を示す図である。
【図２】留守番機能付きインターホン親機の構成を示すブロック図である。
【図３】留守番機能付きインターホン親機の概観を示す図である。
【図４】ドアホン子機の構成を示すブロック図である。
【図５】親機の呼出信号検出部の入力側における電圧波形を示す図である。
【図６】親機の呼出信号検出部の入力側における第２の電圧波形を示す図である。
【図７】親機の呼出信号検出部の入力側における第１の電圧波形を示す図である。
【図８】メッセージ記憶部の記憶内容を説明するための図である。
【図９】第１の実施形態における親機の動作を示すフローチャートである。
【図１０】第２の実施形態における親機の動作を示すフローチャートである。
【図１１】第３の実施形態における親機の動作を示すフローチャートである。
【符号の説明】
１  留守番機能付きインターホンシステム
１０、１０’、１０”  インターホン親機
１１  副親機
１２  ドアホン子機
１０１  接続端子
１０２  子機切替部
１０６  子機検出部
１０７  呼出信号検出部
１０８  録画部
１０９、１０９’、１０９”  制御部
１１０  録音部
１１１、１４１、１７１  メッセージ記憶部
１１７  操作入力部
１１７ａ  通話釦
１１７ｂ  留守釦
１１７ｅ  選択釦
１１７ｆ  決定釦
１１７ｇ  再生釦
１１７ｈ  メニュー釦
１１７ｊ  終了釦
１１８  時計
１２４、１２４’  呼出信号発生部
１１１１、１４１１  選択子機識別子
１１１２、１４１２、１７１２  メッセージデータ
１７１１  時間帯識別子
【図１】
2004297233.tif 000003
【図２】
2004297233.tif 000004
【図３】
2004297233.tif 000005
【図４】
2004297233.tif 000006
【図５】
2004297233.tif 000007
【図６】
2004297233.tif 000008
【図７】
2004297233.tif 000009
【図８】
2004297233.tif 000010
【図９】
2004297233.tif 000011
【図１０】
2004297233.tif 000012
【図１１】
2004297233.tif 000013